(57)【特許請求の範囲】
【請求項１】
ドア枠側にネジにより固定された受け具と、ドア本体にネジにより固定された台座に、回動自在に支持されたＵ字型アームとからなり、閉扉状態で上記Ｕ字型アームを回動させて、上記受け具に掛けることにより、開扉時に上記Ｕ字型アームの係合溝部が、上記受け具の係合する突起部分を扉の停止位置までスライドするドアガードにおいて、上記Ｕ字型アームの形状は、平面形状でアルファベット文字Ｊ字状であって、長辺、短辺および屈曲部で形成されており、上記Ｕ字型アームの短辺端部を回動軸により上記台座に回動自在に支持させ、上記Ｕ字型アームの係合溝部が上記受け具に係合した状態において、上記Ｕ字型アームの屈曲部が上記台座を固定する固定ネジに被さり、該固定ネジの取外しを困難にしたことを特徴とするドアガード。
【請求項２】
Ｕ字型アームの回動軸の位置をドア本体の室内面より離し、閉扉状態においてドア枠側に固定された受け具の中心軸と同じ軸線上に配置したことを特徴とする請求項１に記載のドアガード。
【発明の詳細な説明】
【技術分野】
【０００１】
本発明は、ドアの建物内部側に取付けてドアの閉扉状態で使用し、ドアの開扉角度を制限するドアガードに関し、特に、室外からの様々な方法によるドアガードの解除を防ぐことを可能としたドアガードに関する。
【背景技術】
【０００２】
従来、建物等の出入口ドアには、外部からの侵入者を遮断するための施錠装置（以後ドアロックという）を、ドア本体とドア枠が係合するように設けてあるが、外来者を確認するために、または、会話を交わすために、開錠状態のままで安全に、確認または会話を交わすことができる安全装置として、Ｕ字型アームと受け具から成るドアガードといわれる補助錠の装置、または、鎖を利用したドアチェーン等をドアロックと併用して、ドアの内部側に取付ける場合が多い。また、上記ドアガードは、就寝時の安全確保のための補助錠として利用される場合が多い。しかしながら、従来のドアガードにあっては、ドアガード本体を取付け固定しているネジが、施錠時にあっても、露出しているために、僅少開状態のドアの隙間から手を差し入れて、ドライバー等の工具を使用して、ドアガード本体を取外して内部に侵入することが可能になることがあった。
【０００３】
他方、例えば、下記特許文献１（特開２００３−２７８４２７号公報）に開示されたドアガードは、僅少開状態のドアの隙間から外部の者が手を差し入れて、ドライバー等の工具でドアガード本体の固定ネジを外すことを防ぐために、受け具の形状や機能を複雑にし、また、回動アームに防護ピンを取付ける等の工夫をしている。
【０００４】
また、下記特許文献２（特開２００５−９０８３号公報）に開示されたドアガードにおいては、図１２および図１３に示すように、従来より使用されている一般的なドアガードを使用しており、ドア１とドア枠２との隙間Ａの外から、樹脂板等Ｂを挿入して、ドア１を閉める方向に回動させたときに、樹脂板等Ｂが、ドア１とドア枠２に挟まれて変形し、樹脂板Ｂの弾性により樹脂板等Ｂの先端が、ドアガードのＵ字型アーム３を開錠方向に押し戻す。これは、Ｕ字型アームの回転軸の位置が、受け具４とドア１の内面との間の、受け具４の中心軸４ｄと直交する軸線Ｃ１上に配置されているため、挿入した樹脂板等Ｂの変形時の動きが、そのままドアガードのＵ字型アームを開錠方向に単純に回動させることになり、ドアガードを開錠させてしまう。
【０００５】
【特許文献１】特開２００３−２７８４２７号公報
【特許文献２】特開２００５−９０８３号公報
【特許文献３】特開２００５−２４８５５１号公報
【発明の開示】
【発明が解決しようとする課題】
【０００６】
しかし、上記従来のものにあっては、ドアガード本体や、受け具の構造が複雑化しており、操作も複雑化している。そして、上記特許文献１に開示されたドアガードのように、一般的な出入口ドアとドア枠の形状には取付けが難しい上、樹脂板等を使用した不法な開錠行為には対応していないものや、上記特許文献２や上記特許文献３に開示されたドアガードのように、ドアガード本体と受け具の取付け固定ネジを外されることに対応していないものであり、外部からの不法な侵入を防止できない虞れがある。
【０００７】
本発明は、上記の問題点を解決するために考えられたものであり、ドアの外部側からドアガードを不法に解除されることのできない構造とし、従来どおりの操作性で、安全性の高いドアガードを提供することを目的とする。
【課題を解決するための手段】
【０００８】
請求項１に記載の本発明のドアガードは、ドア枠側にネジにより固定された受け具と、ドア本体にネジにより固定された台座に、回動自在に支持されたＵ字型アームとからなり、閉扉状態で上記Ｕ字型アームを回動させて、上記受け具に掛けることにより、開扉時に上記Ｕ字型アームの係合溝部が、上記受け具の係合する突起部分を扉の停止位置までスライドするドアガードにおいて、上記Ｕ字型アームの形状は、平面形状でアルファベット文字Ｊ字状であって、長辺、短辺および屈曲部で形成されており、上記Ｕ字型アームの短辺端部を回動軸により上記台座に回動自在に支持させ、上記Ｕ字型アームの係合溝部が上記受け具に係合した状態において、上記Ｕ字型アームの屈曲部が上記台座を固定する固定ネジに被さり、該固定ネジの取外しを困難にしたものである。
【０００９】
請求項２に記載の本発明のドアガードは、請求項１に記載のドアガードにおいて、Ｕ字型アームの回動軸の位置をドア本体の室内面より離し、閉扉状態においてドア枠側に固定された受け具の中心軸と同じ軸線上に配置したものである。
【発明の効果】
【００１０】
請求項１記載のドアガードによると、外部から不法に侵入しようとする者が、ドアの僅少隙間からドライバー等の工具を使用してドアガードの受け具および台座の固定ネジを取外そうとしても、ネジ頭が露出していないので、固定ネジの取外しは不可能となり、不法侵入を防ぐ効果を奏することができる。
【００１１】
また、ドアガード本体を取り付ける台座および受け具の形状を小型化でき、デザイン上の視覚効果が上がることが期待できる。
【００１２】
さらに、デザインの種類によっては、従来型のドアガードの取付けネジ穴と同じ位置に、本発明によるドアガードを取付けることができ、容易に従来型のドアガードと交換することができる効果を奏する。
【００１３】
請求項２記載のドアガードによると、回転軸の位置を従来のものと変えることにより、僅少開状態のドアの隙間から樹脂板等を挿入して閉扉し、変形した樹脂板等の弾力が作用しても、ドアガードのＵ字型アームを回動させて開錠状態に戻すことができない構造としたので不法開錠を防ぐ効果を奏することができる。
【発明を実施するための最良の形態】
【００１４】
以下、本発明のドアガードの実施形態を図面に基づいて詳細に説明する。
【００１５】
ドアガードは、主に、建物出入口ドア等の、ヒンジと反対側の室内側の、ドア１と出入口ドア枠２との境界部に取付けられ、外開きとなるドア１側に取付けられる回動自在のＵ字型アーム３と、出入口ドア枠２側に取付けられる受け具４とからなり、Ｕ字形アーム３を受け具４の中心軸棒４ａに回動して係合させることにより、ドア１をヒンジで回動させたときに、Ｕ字型アーム３のストップ位置で、受け具４の中心軸棒４ｂが接触することで、ドア１の回動を止め、ドア１とドア枠２との開口部（隙間）Ａを形成するものである。なお、ドアガードの形状および回転軸の微細な位置、材質についての上記具体例は一例であって、これに何ら限定されるものではなく、本発明の適用が可能なあらゆるドアガードの形状および材質に適用できる。
【００１６】
Ｕ字型アーム３本体の形状は、図１〜図５に示すように、平面形状でアルファベット文字Ｊ字状であって、長辺、短辺および屈曲部で形成されており、Ｕ字型アーム３のＪ字形短辺端部に、Ｕ字型アームが回動するための回転軸３ａ、３ｂが設けられている。そして、このＵ字型アーム３は、図２に示すように、回転軸３ａ、３ｂにより回動し、Ｊ字形長辺端部をドア枠２に固定されている受け具４に係合させる。
【００１７】
Ｕ字型アーム３の回転軸側端部は、前記Ｊ字状短辺端部となっていることにより、回転軸３ａ、３ｂの位置を、出入口ドア内面１ａより離し、受け具４の中心軸４ｄと同じ軸線上にＳ３の距離をもって配置している。
【００１８】
図２に示すように、Ｕ字型アーム３の回転軸３ａ、３ｂの位置を、出入口ドア先端部１ｂからの距離Ｓ１を、受け具の中心軸４ｄと直交する軸線Ｃ１上よりも距離Ｓ２をもって配置して、受け具の中心軸４ｄとの交点に位置している。
【００１９】
Ｕ字型アーム本体３は、Ｊ字形平面形状とともに、図６および図７に示すように、一方端をＵ字型立面形状とするほか、回転軸３ａ、３ｂ側端部付近には、Ｕ字型アーム３の回転軸３ａ、３ｂと平行して、Ｕ字型アーム３を固定している台座３ｃをドア１に固定するためのネジ５ａのネジ頭が施錠時に露出させないために、Ｕ字型アーム台座の固定ネジガード３ｄを設けている。
【００２０】
Ｕ字型アーム３を支持する台座３ｃをドア１に取付ける固定ネジ５ｂは、図９および図１０に示すように、ドアガードのＵ字型アーム３を回動し、施錠したときに、Ｕ字型アーム本体３の屈曲部によりネジ頭を隠すような位置と間隔をもって、ドア１に取付けられており、固定ネジ５ａは、Ｕ字型アーム３の回転軸３ａ、３ｂ付近で、回転軸３ａ、３ｂと同じ向きに配置されているＵ字型アーム３の台座３ｃの固定ネジガード３ｄにより、ドアガード施錠時に、ネジ頭を隠すような形状となっている。
【００２１】
受け具４を固定している台座４ｃをドア枠２に取付ける固定ネジ５ｃは、図７および図８に示すように、ドアガードのＵ字型アーム３を回動して施錠したときに、Ｕ字型アーム本体３により、ネジ頭を隠すような位置と間隔をもって、ドア枠２に取付けられている。
【００２２】
また、前記固定ネジ５ａ、５ｂ、５ｃは、図６および図８に示すように、ドアガード開錠時には、ネジ頭が全て露出しており、ドアガード本体および受け具の取付け、取外しには何ら影響を及ぼさない。
【００２３】
ドアガードは、開錠時には図３に示すようなＵ字型アーム位置となっており、施錠時には、図４に示すようなＵ字型アームの位置となる。施錠時のＵ字型アーム３と、受け具４、取付けネジ５ａ、５ｂ、５ｃの位置関係は、図９に示すとおりになり、全ての取付けネジ５ａ、５ｂ、５ｃは、Ｕ字型アーム本体３およびＵ字型アームの固定ネジガード３ｄが被いかぶさるように形成されているため、施錠状態で、取付けネジ５ａ、５ｂ、５ｃを取外すことは不可能である。
【００２４】
この実施の形態によると、Ｕ字型アーム３の回転軸３ａ、３ｂの位置は、受け具４の中心軸４ａと同じ軸線上にあり、出入口ドア内面１ａから距離Ｓ３の位置にある。また、回転軸３ａ，３ｂのドア戸先部１ｂからの位置Ｓ１は、Ｕ字型アームの施錠時の位置、すなわち、受け具の中心軸４ｄと直交する軸線Ｃ１との距離Ｓ２をとってあり、樹脂板等Ｂをドアの隙間から挿入して不法開錠操作を行ったとしても、樹脂板等Ｂの先端位置は、Ｕ字型アーム３の回転軸３ａ、３ｂのドア内面１ａからの距離Ｓ３よりもドア内面１ａに近い位置にあり、従来型のドアガードのように、簡単に回動することはない。
【００２５】
以上、本発明を実施の形態により説明してたが、具体的な構成は、この実施の形態に限られたものではなく、本発明の要旨を逸脱しない範囲の設計変更等があっても、本発明に含まれる。例えば、上記実施の形態から、回転軸の位置Ｓ１、Ｓ２、Ｓ３の大きさ、比率等や、Ｕ字型アーム３の長さや幅、受け具の形状等、様々な変形例を作ることも可能である。
【図面の簡単な説明】
【００２６】
【図１】本発明のドアガードに係る実施の形態を施錠時にドアを開いた状態で示した外観斜視図である。
【図２】上記ドアガードの施錠時、開錠時の動きを説明する平面図である。
【図３】上記ドアガードの開錠時を説明する平面図である。
【図４】上記ドアガードの施錠時を説明する平面図である。
【図５】上記ドアガードの施錠状態でドアを開いた状態を説明する平面図である。
【図６】上記ドアガードの開錠時を説明する平面図である。
【図７】上記ドアガードの施錠時の回転軸位置を示す側断面図である。
【図８】上記ドアガードの受け具の正面図である。
【図９】上記ドアガードの施錠状態で、ドアを閉めた状態の回転軸位置でのアームと受け具との関係を説明する断面図である。
【図１０】上記ドアガードの施錠状態で、ドアを開いた状態の受け具位置でのアームと受け具との関係を説明する断面図である。
【図１１】従来のドアガードを施錠時におけるドアを開いた状態を示した外観斜視図である。
【図１２】従来のドアガードを施錠状態で開扉時において樹脂板等をドアと枠との開口部分から挿入した状態を説明する概念図である。
【図１３】従来のドアガードを施錠状態で閉扉したときに、樹脂板が変形して、ドアガードのアームを開錠方向に回転させる様子を説明する概念図である。
【符号の説明】
【００２７】
１  出入口ドア
１ａ  出入口ドア内面
１ｂ  出入口ドア戸先部
２  出入口ドア枠
３  Ｕ字型アーム
３ａ、３ｂ  Ｕ字型アームの回転軸
３ｃ  Ｕ字型アームの台座
３ｄ  Ｕ字型アーム台座の固定ネジガード
３ｅ  Ｕ字型アームの係合溝部
４  受け具
４ａ  受け具頭部
４ｂ  受け具の中心軸棒
４ｃ  受け具の台座
４ｄ  受け具の中心軸
５ａ、５ｂ  Ｕ字型アームの台座の固定ネジ
５ｃ  受け具台座の固定ネジ
Ａ  ドアとドア枠との開口部（隙間）
Ｂ  樹脂板等
Ｃ１  受け具の中心軸４ｄと直行する軸線
Ｓ１  出入口ドア戸先部１ｂから回転軸３ａ、３ｂまでの距離
Ｓ２  Ｃ１から回転軸３ａ、３ｂまでの距離
Ｓ３  出入口ドア内面１ａから回転軸３ａ、３ｂまでの距離
【図１】
0004282684.tif 000002
【図２】
0004282684.tif 000003
【図３】
0004282684.tif 000004
【図４】
0004282684.tif 000005
【図５】
0004282684.tif 000006
【図６】
0004282684.tif 000007
【図７】
0004282684.tif 000008
【図８】
0004282684.tif 000009
【図９】
0004282684.tif 000010
【図１０】
0004282684.tif 000011
【図１１】
0004282684.tif 000012
【図１２】
0004282684.tif 000013
【図１３】
0004282684.tif 000014